(57)【要約】【課題】養生作業を迅速に行うことができる碍子用養生カバーを提供する。【解決手段】本発明の碍子用養生カバー２０は、一端部が鉄塔１に接続されるとともに他端部が略水平方向に延びて送電線３を支持する碍子１０を覆うものである。碍子用養生カバー２０は、周方向の所定部が分離されているとともに軸方向に伸縮可能な筒状のカバー本体２１と、カバー本体２１を伸長方向に付勢する平面バネ２２とを備えている。【選択図】図３
2013164914.tif 000002
【特許請求の範囲】
【請求項１】
一端部が鉄塔に接続されるとともに他端部が略水平方向に延びて送電線を支持する碍子を覆う碍子用養生カバーであって、
周方向の所定部が分離されているとともに軸方向に伸縮可能な筒状のカバー本体と、
前記カバー本体を伸長方向に付勢する付勢手段とを備えていることを特徴とする碍子用養生カバー。
【請求項２】
前記付勢手段の付勢力に抗して前記カバー本体を軸方向に収縮させた状態で保持する保持手段をさらに備えている請求項１に記載の碍子用養生カバー。
【請求項３】
前記付勢手段が、前記カバー本体の外周に取り付けられた平面バネからなる請求項１又は２に記載の碍子用養生カバー。
【請求項４】
前記保持手段が、面ファスナーである請求項１〜３のいずれか一項に記載の碍子用養生カバー。
【発明の詳細な説明】
【技術分野】
【０００１】
本発明は、碍子用養生カバーに関する。
【背景技術】
【０００２】
従来より、送電線を架設する鉄塔には、送電線を絶縁して支持するための碍子が取り付けられている。このような碍子を備えた鉄塔は、定期的に錆落としや塗装などの防錆処理が施される。その際、塗装中に塗料が飛散して碍子に付着することにより碍子の絶縁性能が低下するのを防止するために、碍子を養生する碍子用養生カバーが用いられている（例えば、特許文献１参照）。
【０００３】
特許文献１に記載された碍子用養生カバーは、一端部が鉄塔に接続されるとともに他端部が水平方向に延びて送電線を支持する碍子を養生するものであり、周方向の所定部が分離されるように筒状に形成されるとともに軸方向に伸縮可能に構成されている。この碍子用養生カバーにより碍子を養生する際には、碍子用養生カバーを予め収縮させた状態で碍子の送電線側の端部を覆い、碍子用養生カバーの一端部を碍子に固定する（特許文献１の図７）。この状態から、碍子用養生カバーの他端部を手動で鉄塔側に伸長させることにより、碍子全体を碍子用養生カバーにより覆うことができる（特許文献１の図８）。
【先行技術文献】
【特許文献】
【０００４】
【特許文献１】特開２００１−１５５５６８号公報
【発明の概要】
【発明が解決しようとする課題】
【０００５】
特許文献１に記載された碍子用養生カバーにあっては、作業者が鉄塔から水平方向に延びる碍子の送電線側の端部まで乗り出した状態で、碍子用養生カバーを固定及び伸長させる作業を行う必要があるため、作業性が悪く、碍子用養生カバーの取り付けに時間がかかるという問題があった。
本発明は、このような事情に鑑みてなされたものであり、養生作業を迅速に行うことができる碍子用養生カバーを提供することを目的とする。
【課題を解決するための手段】
【０００６】
前記目的を達成するための本発明の碍子用養生カバーは、一端部が鉄塔に接続されるとともに他端部が略水平方向に延びて送電線を支持する碍子を覆う碍子用養生カバーであって、周方向の所定部が分離されているとともに軸方向に伸縮可能な筒状のカバー本体と、前記カバー本体を伸長方向に付勢する付勢手段とを備えていることを特徴としている。
【０００７】
本発明によれば、軸方向に伸縮可能なカバー本体をその伸長方向に付勢する付勢手段を備えているため、カバー本体を付勢手段の付勢力に抗して軸方向に収縮させた状態で碍子の鉄塔側の端部を覆った後、カバー本体を付勢手段の付勢力によって軸方向に伸長させることにより、碍子をその鉄塔側の端部から送電線側の端部にかけて全体的に覆うことができる。これにより、作業者が碍子の送電線側の端部に乗り出すことなく碍子全体を養生することができるため、養生作業を迅速に行うことができる。
【０００８】
前記碍子用養生カバーは、前記付勢手段の付勢力に抗して前記カバー本体を軸方向に収縮させた状態で保持する保持手段をさらに備えていることが好ましい。この場合、カバー本体を保持手段により軸方向に収縮保持させた状態で碍子の鉄塔側の端部を覆うことができるため、養生作業をさらに迅速に行うことができる。
【０００９】
前記付勢手段は、前記カバー本体の外周に取り付けられた平面バネからなることが好ましい。この場合、簡単な構成によって、カバー本体を伸長方向に付勢することができる。
また、前記保持手段は、面ファスナーであることが好ましい。この場合、簡単な構成によって、カバー本体を軸方向に収縮させた状態で保持することができる。
【発明の効果】
【００１０】
本発明の碍子用養生カバーによれば、養生作業を迅速に行うことができる。
【図面の簡単な説明】
【００１１】
【図１】本発明の一実施形態に係る碍子用養生カバーにより養生される碍子を備えた鉄塔の側面図である。
【図２】碍子の具体的な構成を示す側面図である。
【図３】碍子用養生カバーの具体的な構成を示す斜視図である。
【図４】図３のＡ−Ａ矢視断面図である。
【図５】（ａ）は碍子用養生カバーを収縮させた状態を示す斜視図であり、（ｂ）は（ａ）のＢ−Ｂ矢視断面図である。
【図６】碍子用養生カバーにより碍子の鉄塔側の端部を覆った状態を示す側面図である。
【図７】碍子用養生カバーにより碍子全体を覆った状態を示す側面図である。
【発明を実施するための形態】
【００１２】
以下、図面を参照しつつ、本発明の実施形態を説明する。
図１は、本発明の一実施形態に係る碍子用養生カバーにより養生される碍子を備えた鉄塔の側面図である。図１において、鉄塔１の腕金２には、送電線３を絶縁して支持する一対の碍子１０が取り付けられている。各碍子１０の一端部は、腕金２にそれぞれ接続されており、各碍子１０の他端部は、互いに逆方向となるように略水平方向に延びて、調整金具４及びクランプ５を介して送電線３を腕金２に接近しないように支持している。
【００１３】
図２は、碍子１０の具体的な構成を示す側面図である。碍子１０は、例えば硬質磁器からなる複数の絶縁体１１ａを有する碍子本体１１と、碍子本体１１の長手方向両端部にそれぞれ固定された一対の連結金具（コッタ）１２とによって構成されている。一対の連結金具１２のうちの一方は鉄塔１の腕金２に連結され、他方は調整金具４に連結されている。碍子１０には、例えば鉄塔１の錆落しや塗装などの防錆処理を施す際に塗料が碍子１０に付着してその絶縁性能が低下しないように、碍子１０を覆って養生（保護）する碍子用養生カバー２０が取り付けられる。
【００１４】
図３は、碍子用養生カバー２０の具体的な構成を示す斜視図である。また、図４は、図３のＡ−Ａ矢視断面図である。図３及び図４において、碍子用養生カバー２０は、周方向の所定部が分離されている円筒状のカバー本体２１と、カバー本体２１の外周に取り付けられた付勢手段としての平面バネ２２と、カバー本体２１の軸方向一端部に設けられた保持手段としての面ファスナー２３とを備えている。
【００１５】
カバー本体２１は、軸方向に所定間隔をあけて配置された複数（本実施形態では３個）のフレーム部材２１ａと、これらのフレーム部材２１ａの外周を覆う単一のシート部材２１ｂとによって構成されている。フレーム部材２１ａは、ピアノ線等の弾性線材により有端環状に形成されており、その内径は碍子本体１１の絶縁体１１ａの外径よりも大きく設定されている。
【００１６】
シート部材２１ｂは、キャンバス（綿布）等からなる四角形状の布をフレーム部材２１ａの周方向に沿って湾曲させたものである。シート部材２１ｂの周方向の長さ寸法は、フレーム部材２１ａの周長と略同一長さに設定され、シート部材２１ｂの軸方向の長さ寸法は、碍子本体１１の長手方向の全長よりも長く設定されている。シート部材２１ｂの内周面における各フレーム部材２１ａに対応する箇所には、軸方向に所定の幅を有する共布を縫い付けることにより袋状の収納部２１ｃが形成されている。この収納部２１ｃ内には対応するフレーム部材２１ａが個別に収納されている。
【００１７】
これにより、カバー本体２１の周方向の１箇所に、軸方向全長に亘ってスリット２１ｄが形成されている。このスリット２１ｄをフレーム部材２１ａの弾性力に抗して拡開させることにより、カバー本体２１を碍子１０に被せることができる。また、図３に示すカバー本体２１を軸方向両側から押さえることにより、図５（ａ）及び（ｂ）に示すようにシート部材２１ｂを軸方向に蛇腹状に折り畳むことができる。すなわち、カバー本体２１は、図３に示す伸長した状態と、図５（ａ）に示す収縮した状態との間で、円筒形状を保持したまま軸方向に伸縮可能となっている。
【００１８】
図３及び図４において、平面バネ２２は、カバー本体２１を伸長方向に付勢するものであり、シート部材２１ｂの外周面に周方向に所定間隔をあけて複数（本実施形態では４個）固定されている。各平面バネ２２は、バネ本体部２２ａと、バネ本体部２２ａの周方向両側に一体形成された起伏部２２ｂとからなる。バネ本体部２２ａは、シート部材２１ｂの軸方向全長に亘って直線状に延びて形成されている。起伏部２２ｂは、バネ本体部２２ａの周方向両端部において周方向に起伏形成されており、その起伏は軸方向に連続して形成されている。平面バネ２２は、その付勢力に抗してカバー本体２１を軸方向に収縮させることにより、シート部材２１ｂとともに蛇腹状に折り畳まれるようになっている。
【００１９】
図３及び図５（ａ），（ｂ）において、面ファスナー２３は、平面バネ２２の付勢力に抗してカバー本体２１を軸方向に収縮させた状態で保持するものであり、シート部材２１ｂの軸方向一端部（図３の右端部）において周方向に所定間隔をあけて複数（本実施形態では４個）設けられている。各面ファスナー２３は帯状に形成されており、その長手方向一端部はシート部材２１ｂの軸方向一端部に固定されている。
【００２０】
また、各面ファスナー２３は、一方の面に形成された雄型面ファスナー２３ａと、他方の面に形成された雌型面ファスナー２３ｂとを有しており、雄型面ファスナー２３ａ及び雌型面ファスナー２３ｂは、互いに接合・剥離可能となっている。これにより、例えば図５（ｂ）に示すように、軸方向に収縮させたカバー本体２１に対して面ファスナー２３を軸方向に巻回させて雄型面ファスナー２３ａと雌型面ファスナー２３ｂとを互いに接合することで、カバー本体２１を収縮させた状態で保持することができる。
【００２１】
図３において、シート部材２１ｂの軸方向他端部（図３の左端部）には、その周方向に所定間隔をあけて複数のハトメ２４が取り付けられており、各ハトメ２４には紐部材２５が挿通されている。この紐部材２５を碍子１０の連結金具１２に縛り付けることによって、シート部材２１ｂの軸方向他端部を絞った状態で碍子１０の端部に固定することができる。
【００２２】
また、スリット２１ｄの両側であるシート部材２１ｂの周方向両端部には、互いに接合・剥離可能な雄型面ファスナー２６ａ及び雌型面ファスナー２６ｂが、それぞれ軸方向に所定間隔をあけて複数（本実施形態では３個）設けられている。具体的には、雄型面ファスナー２６ａ及び雌型面ファスナー２６ｂは帯状に形成されており、その長手方向一端部は、シート部材２１ｂの周方向両端部において各フレーム部材２１ａに対して軸方向に所定間隔をあけた状態でそれぞれ固定されている。これにより、雄型面ファスナー２６ａとこれに対応する雌型面ファスナー２６ｂとを互いに接合させることで、シート部材２１ｂにスリット２１ｄを拡開させる方向に風力等の外力が作用しても、スリット２１ｄが拡開するのを防止することができる。
【００２３】
シート部材２１ｂの軸方向一端部には、周方向に所定間隔をあけて複数（本実施形態では３個）の係止部材２７が取り付けられている。各係止部材２７は、円環状に形成されており、図示しない絶縁操作棒の先端部が着脱自在に係止されるようになっている。これにより、係止部材２７に絶縁操作棒の先端部を係止させた状態で絶縁操作棒を操作することで、シート部材２１ｂの軸方向一端部を軸方向に移動させることができる。なお、この係止部材２７は必ずしも設けなくてもよい。
【００２４】
次に、碍子用養生カバー２０を碍子１０に取り付ける方法について、図３及び図５〜図７を参照しながら説明する。まず、図３の伸長した状態にあるカバー本体２１を平面バネ２２の付勢力に抗して収縮させた状態とする。この状態で、図５（ａ）及び（ｂ）に示すようにカバー本体２１に対して各面ファスナー２３を軸方向に巻回させ、各面ファスナー２３の雄型面ファスナー２３ａと雌型面ファスナー２３ｂとを互いに接合させる。これにより、カバー本体２１は収縮した状態で保持される。
【００２５】
次に、カバー本体２１のスリット２１ｄをフレーム部材２１ａの弾性力に抗して拡開させ、図６に示すように碍子本体１１の鉄塔１側の端部にカバー本体２１を上方から被せる。そして、カバー本体２１の周方向両端部の雄型面ファスナー２６ａとこれに対応する雌型面ファスナー２６ｂとを互いに接合させる。その後、カバー本体２１の軸方向一端部（図６の左端部）を把持した状態で、各面ファスナー２３の雄型面ファスナー２３ａと雌型面ファスナー２３ｂとを互いに剥離させる。この剥離によって、カバー本体２１の軸方向他端部（図６の右端部）は、平面バネ２２の付勢力によって送電線３側の連結金具１２まで移動する（図７参照）。この状態で、図７に示すように紐部材２５を鉄塔１側の連結金具１２に縛り付け、カバー本体２１の軸方向一端部を絞った状態で碍子１０の鉄塔１側の端部に固定する。これにより、カバー本体２１は碍子本体１１をその鉄塔１側の端部から送電線３側の端部にかけて全体的に覆うことができる。
【００２６】
次に、碍子用養生カバー２０を碍子１０から取り外す場合について説明する。まず、図７に示す状態のまま、すなわち紐部材２５を鉄塔１側の連結金具１２に縛り付けた状態のまま、カバー本体２１を平面バネ２２の付勢力に抗して鉄塔１側へ引きつけることにより、カバー本体２１を鉄塔１側の軸方向一端部から送電線３側の軸方向他端部にかけて順次収縮させる。なお、カバー本体２１を収縮させる他の方法として、図７に示す状態から絶縁操作棒をカバー本体２１の軸方向他端部に位置する係止部材２７に係止させて鉄塔１側に引きつけるようにしてもよい。
【００２７】
カバー本体２１の全体を収縮させた後は、鉄塔１側の連結金具１２に対する紐部材２５の縛り付けを解除する。そして、図６及び図５（ｂ）に示すように、カバー本体２１に対して各面ファスナー２３を軸方向に巻回させ、各面ファスナー２３の雄型面ファスナー２３ａと雌型面ファスナー２３ｂとを互いに接合させる。これにより、カバー本体２１は収縮した状態で保持される。その後は、カバー本体２１の周方向両端部の雄型面ファスナー２６ａとこれに対応する雌型面ファスナー２６ｂとを互いに剥離させ、カバー本体２１のスリット２１ｄを拡開可能とする。そして、スリット２１ｄをフレーム部材２１ａの弾性力に抗して拡開させてカバー本体２１を上方へ持ち上げることにより、碍子１０からカバー本体２１を取り外すことができる。
【００２８】
以上のように構成された碍子用養生カバー２０によれば、軸方向に伸縮可能なカバー本体２１をその伸長方向に付勢する付勢手段（平面バネ）２２を備えているため、カバー本体２１を付勢手段２２の付勢力に抗して軸方向に収縮させた状態で碍子１０の鉄塔１側の端部を覆った後、カバー本体２１を付勢手段２２の付勢力によって軸方向に伸長させることにより、碍子１０をその鉄塔１側の端部から送電線３側の端部にかけて全体的に覆うことができる。これにより、作業者が碍子１０の送電線３側の端部に乗り出すことなく碍子１０の全体を養生することができるため、養生作業を迅速に行うことができる。
【００２９】
また、碍子用養生カバー２０は、付勢手段２２の付勢力に抗してカバー本体２１を軸方向に収縮させた状態で保持する保持手段（面ファスナー）２３を備えているため、カバー本体２１を保持手段２３により軸方向に収縮保持させた状態で碍子１０の鉄塔１側の端部を覆うことができる。これにより、養生作業をさらに迅速に行うことができる。
【００３０】
また、付勢手段２２を平面バネとしたので、簡単な構成によって、カバー本体２１を伸長方向に付勢することができる。また、保持手段２３を面ファスナーとしたので、簡単な構成によって、カバー本体２１を軸方向に収縮させた状態で保持することができる。
【００３１】
なお、本発明は上記実施形態に限定されるものではない。例えば、本実施形態におけるカバー本体２１は、円筒状に形成されているが、四角筒状などの多角筒状に形成されていてもよい。
また、カバー本体２１を伸長方向に付勢する付勢手段として、本実施形態では平面バネ２２を用いているが、他のバネを用いて付勢手段を構成してもよい。
さらに、カバー本体２１を軸方向に収縮させた状態で保持する保持手段として、本実施形態では面ファスナー２３を用いているが、紐を用いてカバー本体２１を縛り付けるなど他の部材を用いて保持手段を構成してもよい。
【００３２】
また、面ファスナー２３は、カバー本体２１の送電線３側の端部に取り付けられているが、カバー本体２１の鉄塔１側の端部に取り付けられていてもよい。
また、カバー本体２１のフレーム部材２１ａ、平面バネ２２、面ファスナー２３の各取り付け個数は、カバー本体２１の形状に合わせて任意に設定することができる。
【符号の説明】
【００３３】
１    鉄塔
３    送電線
１０    碍子
２０    碍子用養生カバー
２１    カバー本体
２２    平面バネ（付勢手段）
２３    面ファスナー（保持手段）
【図１】
2013164914.tif 000003
【図２】
2013164914.tif 000004
【図３】
2013164914.tif 000005
【図４】
2013164914.tif 000006
【図５】
2013164914.tif 000007
【図６】
2013164914.tif 000008
【図７】
2013164914.tif 000009